(57)【特許請求の範囲】
【請求項１】
左右のレンズにヨロイが取り付けられている眼鏡フレームであって、
前記ヨロイが、レンズに設けられた貫通孔に係止する係止部とレンズの外周に当接する当接部とを備え、
前記当接部が、前記ヨロイ本体に湾曲状の弾性体を介して設けられ、
前記弾性体によって、前記当接部が前記係止部に向かう方向に付勢されていることを特徴とする眼鏡フレーム。
【請求項２】
前記ヨロイがテンプルと丁番で連結され、前記丁番を構成する前記テンプル側のコマが、前記テンプルの端部に湾曲状の弾性体を介して設けられていることを特徴とする請求項１に記載の眼鏡フレーム。
【請求項３】
前記ヨロイがテンプルと丁番で連結され、前記丁番を構成する前記ヨロイ側のコマが、前記ヨロイに湾曲状の弾性体を介して設けられていることを特徴とする請求項１に記載の眼鏡フレーム。
【請求項４】
前記係止部が、雄ネジを備えてなることを特徴とする請求項１乃至請求項３の何れか１項に記載の眼鏡フレーム。
【発明の詳細な説明】
【技術分野】
【０００１】
本発明は眼鏡フレームに関し、特に、左右のレンズにヨロイが直接取り付けられている縁無しの眼鏡フレームに関する。
【背景技術】
【０００２】
眼鏡フレームには様々なタイプのものが存在するが、ファッションのアイテムとしてスマートなデザインのものが好まれるようになり、スマートなデザインのハーフリム眼鏡やツーポイントのリムレス眼鏡に人気が高まっている。例えば、ツーポイントのリムレス眼鏡は、図８に示すように、左右一対のレンズ２と、この一対のレンズ２を連結するブリッジ３と、左右のレンズ２の外側に取り付けられるヨロイ５と、左右のヨロイ５にそれぞれ丁番７を介して取り付けられる一対のテンプル６等で構成されている。
【０００３】
リムレス眼鏡において、レンズにヨロイを取り付ける方法としては、レンズに貫通孔を設けてヨロイをネジ止めすると共に、ヨロイがレンズに対してネジを中心に回転しないように回り止めを設けるのが一般的な方法であり、これに関する発明が数多く提案されている。例えば特許文献１には、レンズの端部に開口した窪みを形成し、ヨロイの一部を窪みに嵌入させる方法が記載されている。
【０００４】
しかしながら、このような眼鏡フレームでは、レンズにテンプルやブリッジを取り付ける際に精密な加工が必要となる。例えば、レンズを加工して形成する窪みと貫通孔との位置関係は、対応するヨロイの形状と完全に一致しなければならないが、精度が不十分な加工によって、ガタを生じることが少なくない。また、精密な加工をするために、非常に手間の掛かる作業となっている。さらに、窪み等を形成することによりヨロイの取付け部分における強度が弱くなり、破損することが少なくないという問題もある。
【特許文献１】特開２００４−１２７３２号公報
【発明の開示】
【発明が解決しようとする課題】
【０００５】
本発明は上記の課題を解決したものであり、レンズにヨロイを取り付ける際に精密な加工をする必要のない眼鏡フレームを提供することを目的とする。すなわち、手間の掛かる精密な加工をしなくても、レンズとヨロイとが密着してガタを生じることのない眼鏡フレームを提供することを目的とする。また、レンズの加工によってレンズの強度が低下することなく、特に、テンプルの開閉等によってヨロイの取付け部を破損することのない眼鏡フレームを提供することを目的とする。
【課題を解決するための手段】
【０００６】
上記の課題を解決するために、本発明の請求項１に係る眼鏡フレームは、左右のレンズにヨロイが取り付けられている眼鏡フレームであって、前記ヨロイが、レンズに設けられた貫通孔に係止する係止部とレンズの外周に当接する当接部とを備え、前記当接部が、前記ヨロイ本体に湾曲状の弾性体を介して設けられ、前記弾性体によって、前記当接部が前記係止部に向かう方向に付勢されている手段を採用している。
【０００７】
また、本発明の請求項２に係る眼鏡フレームは、請求項１に記載の眼鏡フレームであって、前記ヨロイがテンプルと丁番で連結され、前記丁番を構成する前記テンプル側のコマが、前記テンプルの端部に湾曲状の弾性体を介して設けられている手段を採用している。また、本発明の請求項３に係る眼鏡フレームは、請求項１に記載の眼鏡フレームであって、前記ヨロイがテンプルと丁番で連結され、前記丁番を構成する前記ヨロイ側のコマが、前記ヨロイに湾曲状の弾性体を介して設けられている手段を採用している。また、本発明の請求項４に係る眼鏡フレームは、請求項１乃至請求項３の何れか１項に記載の眼鏡フレームであって、前記係止部が、雄ネジを備えてなる手段を採用している。
【発明の効果】
【０００８】
本発明の眼鏡フレームは上記の手段を採用することにより、レンズにヨロイを取り付ける際に精密な加工をする必要のない眼鏡フレームを提供することができる。そして、手間の掛かる精密な加工をしなくても、レンズとヨロイとが密着してガタを生じることのない眼鏡フレームとすることができる。また、レンズの加工によってレンズの強度が低下することなく、テンプルの開閉等によってヨロイの取付け部を破損することのない眼鏡フレームを提供することができる。
【発明を実施するための最良の形態】
【０００９】
以下、本発明の実施の一例を図１〜図７により説明するが、これらの図は本願発明を何ら限定するものではない。図１は本発明の眼鏡フレームを示す斜視図であり、図２は平面図、図３は正面図、図４は側面図である。また、図５はヨロイ部分の拡大斜視図であり、図６はヨロイ部分の拡大平面図であり、図７はレンズを取り外したヨロイ部分の拡大斜視図である。
【００１０】
図において、眼鏡フレーム１０はツーポイントのリムレス眼鏡であり、左右一対のレンズ２０と、この一対のレンズ２０を連結するブリッジ３０と、左右のレンズ２０の外側に取り付けられるヨロイ５０と、左右のヨロイ５０にそれぞれ丁番７０を介して取り付けられる一対のテンプル６０と、中央に設けられている鼻パッド４０等で構成されている。
【００１１】
本発明の眼鏡フレーム１０は、ヨロイ５０の構造と取付け方法に特徴を備えている。すなわち、図５〜図７に拡大図で示すように、ヨロイ５０は、レンズ２０に設けられた貫通孔２１に係止する係止部５１と、レンズ２０の外周に当接する当接部５２とを備えている。さらに、この当接部５２は、湾曲状の弾性体５３を介してヨロイ５０本体に設けられている。
【００１２】
係止部５１は雄ネジを備えており、レンズ２０の貫通孔２１に係止させると共にナット５４でネジ止めすることができる。これによって、ヨロイ５０をレンズ２０に取り付けることができる。当接部５２は回り止めであり、レンズ２０の外周に当接することにより、ヨロイ５０がレンズ２０に対して回転するのを防ぐことができる。このようにして、ヨロイ５０をレンズ２０に固着することができる。
【００１３】
なお、ここでは係止部５１がヨロイ５０に一体に形成され、雄ネジを備えている場合を説明したが、他の形態を採用することも可能である。例えば、ヨロイ５０に雌ネジを備えた係止部５１を一体に形成したり、貫通孔のみを設けた係止部５１として別途用意した雌雄のネジを螺合して取り付けたりすることができる。
【００１４】
本発明の特徴は、当接部５２が湾曲状の弾性体５３を介してヨロイ５０本体に設けられていることである。湾曲状の弾性体５３によって、当接部５２は係止部５１に向かう方向に付勢されることになる。すなわち、当接部５２は、弾性体５３の付勢力によりレンズ２０の外周に強く押し付けられる構造となっている。
【００１５】
この結果、ヨロイ５０をレンズ２０に取り付ける際に精密な加工をする必要がなく、簡単で手間の掛からない作業となる。すなわち、レンズ２０に貫通孔２１を削孔する際に、レンズ外周との位置関係を厳密にする必要がない。多少の誤差があっても、弾性体５３の可動範囲内となってレンズとヨロイが密着し、ガタを生じることなく取り付けることができる。また、レンズ２０の加工は貫通孔２１の削孔のみであるために、レンズ２０の強度が損なわれず、テンプルの開閉などによってヨロイ５０の取付け部が破損することもない。
【００１６】
なお、ここで弾性体５３の形状としては、図のようにＳ字型に限らず、他の形状とすることも可能である。すなわち、線材や板材を湾曲させて形成した円形、楕円形、Ｃ字形等とすることが可能であり、係止部５１に向かう方向に付勢力を与えるものを採用することができる。
【００１７】
本発明の眼鏡フレーム１０は、レンズ２０の強度を損なわないものであるが、フルリムの眼鏡フレームと比較するとフレーム全体の強度は低い。したがって、破損や変形に対して少しでも安全性を高めておくことが好ましい。例えば、眼鏡を装着する際等に無意識でテンプル６０を強く開いてしまった場合でも、眼鏡フレーム１０を変形や破損から守ることができるような対策が望ましい。
【００１８】
本発明の眼鏡フレーム１０は、ヨロイ５０とテンプル６０とが丁番７０で連結され、相互に回動するようになっている。すなわち、丁番７０はヨロイ５０側のコマ５５とテンプル６０側のコマ６１とを軸ネジ７１とで回動可能に構成されている。そして、テンプル６０側のコマ６１は、テンプル６０の端部に湾曲状の弾性体６２を介して設けられている。
【００１９】
弾性体６２は、ヨロイ５０の回動面に沿って湾曲状をなしており、回動面に沿って可撓性を示すものである。すなわち、湾曲状をなして、回動面に沿って可撓性を示すものであれば、他の形態とすることも可能である。この結果、例えばテンプル６０の回動を最大に開いた状態で、さらにテンプル６０を開く方向に力を加えると、弾性体６２の撓みによりテンプル６０をさらに拡開することができる。
【００２０】
本発明の眼鏡フレーム１０は、このような構造とすることにより、破損や変形に対して安全性の高い眼鏡フレームとなっている。すなわち、眼鏡を装着する際等に無意識でテンプル６０を強く開いてしまった場合でも、弾性体６２が力を吸収するので、眼鏡フレーム１０を変形や破損から守ることができる。
なお、このような弾性体は、丁番７０のヨロイ５０側のコマ５５に設けることもできる。すなわち、ヨロイ５０側のコマ５５を湾曲状の弾性体を介して設けることにより、全く同様の効果を得ることができる。
【００２１】
以上のように、本発明の眼鏡フレーム１０は、ヨロイ５０をレンズ２０に取り付ける際の加工が、レンズ２０に貫通孔２１を削孔するだけで精密な加工を必要とせず、簡単に取り付けることができる。そして、ガタを生じることがなく、レンズ２０の強度が低下することもない。さらに、テンプル６０に大きな力を加えてしまった場合でも、変形や破損を防ぐことができる。
【図面の簡単な説明】
【００２２】
【図１】本発明の眼鏡フレームの一例を示す斜視図である。
【図２】同眼鏡フレームを示す平面図である。
【図３】同眼鏡フレームを示す正面図である。
【図４】同眼鏡フレームを示す側面図である。
【図５】同眼鏡フレームのヨロイ部分を示す拡大斜視図である。
【図６】同ヨロイ部分を示す拡大平面図である。
【図７】同ヨロイ部分からレンズを取り外した拡大斜視図である。
【図８】従来技術を示す図である。
【符号の説明】
【００２３】
１０      眼鏡フレーム
２，２０  レンズ
２１      貫通孔
３，３０  ブリッジ
４０      鼻パッド
５，５０  ヨロイ
５１      係止部
５２      当接部
５３      弾性体
５４      ナット
５５      コマ
６，６０  テンプル
６１      コマ
６２      弾性体
７，７０  丁番
７１      軸ネジ
【図１】
0004813188.tif 000002
【図２】
0004813188.tif 000003
【図３】
0004813188.tif 000004
【図４】
0004813188.tif 000005
【図５】
0004813188.tif 000006
【図６】
0004813188.tif 000007
【図７】
0004813188.tif 000008
【図８】
0004813188.tif 000009